(57)【要約】【課題】個別空調と外気冷房とを併用するための設備導入において、設備導入時に必要になる工事の手間を軽減する。【解決手段】空調機２は、還気ダクトと接続される空気流入口２００と、外気ダクトと接続される外気流入口２０１と、外気ダンパ２０２と、熱交換器２０３と、ファン２０６と、空気流入口２００から取り入れた還気と外気流入口２０１から取り入れた外気とを、熱交換器２０３とファン２０６を通過させて流出口２０８に導く流路２０４，２０５，２０７，２０９とを備える。【選択図】  図２
2011012892.tif 000002
【特許請求の範囲】
【請求項１】
個別空調と外気冷房とが併用される空調システムにおける個別空調用の空調機であって、
熱交換器と、
この熱交換器によって冷却または加熱される空気を送り出すファンと、
還気ダクトから還気を取り入れる空気流入口と、
外気ダクトから外気を取り入れる外気流入口と、
この外気流入口から取り入れる外気の量を調節する外気ダンパと、
前記ファンから送り出される空気を排出する流出口と、
前記空気流入口から取り入れた還気を、前記熱交換器とファンを通過させて前記流出口に導き、前記外気流入口から取り入れた外気を、少なくとも前記外気ダンパを通過させて前記流出口に導く流路とを備えることを特徴とする空調機。
【請求項２】
請求項１記載の空調機において、
前記外気流入口は、前記熱交換器とファンに対して、空気の流れの上流側に配設され、
前記流路は、前記外気ダンパを通過した外気を、前記熱交換器とファンを通過させて前記流出口に導くことを特徴とする空調機。
【請求項３】
請求項１記載の空調機において、
前記外気流入口は、前記熱交換器とファンに対して、空気の流れの下流側に配設され、
前記流路は、前記外気ダンパを通過した外気を、前記熱交換器とファンを通過させることなく前記流出口に直接導くことを特徴とする空調機。
【請求項４】
請求項１記載の空調機において、
前記外気流入口は、前記熱交換器とファンに対して、空気の流れの上流側に配設され、
前記流路は、前記外気ダンパを通過した外気を、前記熱交換器とファンを通過させて前記流出口に導く第１の外気用流路と、前記外気ダンパを通過した外気を、前記熱交換器とファンを通過させることなく前記流出口に直接導く第２の外気用流路とを含み、
さらに、外気用流路を前記第１の外気用流路と第２の外気用流路のどちらかに切換可能な流路切換手段を備え、
完全外気冷房のときは、前記第２の外気用流路が使用されるように制御されることを特徴とする空調機。
【請求項５】
請求項１記載の空調機において、
前記外気流入口は、前記熱交換器に対して空気の流れの下流側に配設され、前記ファンに対して空気の流れの上流側に配設され、
前記流路は、前記外気ダンパを通過した外気を、前記ファンを通過させて前記流出口に導くことを特徴とする空調機。
【請求項６】
請求項１乃至５のいずれか１項に記載の空調機において、
さらに、主として熱交換器の冷却能力または加熱能力を増減させることにより室温制御を実行する個別空調主体の制御モードのときに、前記熱交換器の能力を操作する操作量指示値を算出する第１のＰＩＤ制御演算手段と、
主として外気冷房機の効果を増減させることにより室温制御を実行する外気冷房主体の制御モードのときに、前記外気ダンパの開度を操作する操作量指示値を算出する第２のＰＩＤ制御演算手段と、
前記第１のＰＩＤ制御演算手段と第２のＰＩＤ制御演算手段に共通に設定されるＰＩＤパラメータである積分時間と微分時間を予め記憶する積分・微分時間共通記憶手段とを備えることを特徴とする空調機。
【発明の詳細な説明】
【技術分野】
【０００１】
本発明は、個別空調と外気冷房とが併用される空調システムにおける個別空調用の空調機に関するものである。
【背景技術】
【０００２】
空調制御では、例えば図８に示すように、部屋毎に個別の空調機（例えばビル用マルチ空調機など）を設置し、居住者がリモコンなどの操作手段を用いて、居住者の判断で個別空調機を操作する空調システムが実用化されている（例えば特許文献１参照）。図８の例では、部屋１００−１，１００−２の各々に熱交換式の個別空調機１０１−１，１０１−２が設けられている。図８において、１０２−１，１０２−２は部屋１００−１，１００−２から個別空調機１０１−１，１０１−２に空気（還気）を戻すダクト、１０３−１，１０３−２は個別空調機１０１−１，１０１−２によって冷却または加熱された空気（給気）を部屋１００−１，１００−２へ供給するダクト、１０４−１，１０４−２は給気の吹出口である。
【０００３】
一方で、セントラル空調システムでは、外気温度が低い冬期においては、外気を利用した冷房（外気冷房）が行なえるように構成されており、制御パラメータの調整についても効率化が図られている（特許文献２参照）。
オフィスビルなどでは、居住者やコンピュータ類が実質的に室内の発熱物となるので、冬期でも昼間は冷房を行なう必要がある。冷たい外気を取入れて冷房を行なう外気冷房により、空調機などによって空気を冷却するためのエネルギーを節約できるので、外気冷房を利用することは省エネルギーという観点では極めて有効である。
【先行技術文献】
【特許文献】
【０００４】
【特許文献１】特開２００３−１４８７９０号公報
【特許文献２】特許第３３３４０７３号公報
【発明の概要】
【発明が解決しようとする課題】
【０００５】
前述のとおり、外気冷房を利用することは省エネルギーという観点では極めて有効である。そこで、図９に示すように個別空調機と外気冷房機とを併用して、それぞれの良さを活用しようという構成が考えられる。図９において、１０５は外気を室内に導入する外気冷房機、１０６は外気の取り入れ口、１０７−１，１０７−２は外気冷房機１０５から送り出される外気を部屋１００−１，１００−２へ供給するダクト、１０８−１，１０８−２は外気の供給量を調節する外気ダンパ、１０９−１，１０９−２は外気の吹出口、１１０−１，１１０−２は部屋１００−１，１００−２の室温を計測する室温センサ、１１１は外気温度を計測する外気温度センサである。
図９に示したように、個別空調機と外気冷房機とを併用しようとすると、両者を従来通りに併設することになるので、工事などの導入時の手間が大きな負担になるという問題点があった。
【０００６】
本発明は、上記課題を解決するためになされたもので、個別空調と外気冷房とを併用するための設備導入において、設備導入時に必要になる工事の手間を軽減することができる空調機を提供することを目的とする。
【課題を解決するための手段】
【０００７】
本発明は、個別空調と外気冷房とが併用される空調システムにおける個別空調用の空調機であって、熱交換器と、この熱交換器によって冷却または加熱される空気を送り出すファンと、還気ダクトから還気を取り入れる空気流入口と、外気ダクトから外気を取り入れる外気流入口と、この外気流入口から取り入れる外気の量を調節する外気ダンパと、前記ファンから送り出される空気を排出する流出口と、前記空気流入口から取り入れた還気を、前記熱交換器とファンを通過させて前記流出口に導き、前記外気流入口から取り入れた外気を、少なくとも前記外気ダンパを通過させて前記流出口に導く流路とを備えることを特徴とするものである。
また、本発明の空調機の１構成例において、前記外気流入口は、前記熱交換器とファンに対して、空気の流れの上流側に配設され、前記流路は、前記外気ダンパを通過した外気を、前記熱交換器とファンを通過させて前記流出口に導くことを特徴とするものである。
また、本発明の空調機の１構成例において、前記外気流入口は、前記熱交換器とファンに対して、空気の流れの下流側に配設され、前記流路は、前記外気ダンパを通過した外気を、前記熱交換器とファンを通過させることなく前記流出口に直接導くことを特徴とするものである。
【０００８】
また、本発明の空調機の１構成例において、前記外気流入口は、前記熱交換器とファンに対して、空気の流れの上流側に配設され、前記流路は、前記外気ダンパを通過した外気を、前記熱交換器とファンを通過させて前記流出口に導く第１の外気用流路と、前記外気ダンパを通過した外気を、前記熱交換器とファンを通過させることなく前記流出口に直接導く第２の外気用流路とを含み、さらに、外気用流路を前記第１の外気用流路と第２の外気用流路のどちらかに切換可能な流路切換手段を備え、完全外気冷房のときは、前記第２の外気用流路が使用されるように制御されることを特徴とするものである。
また、本発明の空調機の１構成例において、前記外気流入口は、前記熱交換器に対して空気の流れの下流側に配設され、前記ファンに対して空気の流れの上流側に配設され、前記流路は、前記外気ダンパを通過した外気を、前記ファンを通過させて前記流出口に導くことを特徴とするものである。
また、本発明の空調機の１構成例は、さらに、主として熱交換器の冷却能力または加熱能力を増減させることにより室温制御を実行する個別空調主体の制御モードのときに、前記熱交換器の能力を操作する操作量指示値を算出する第１のＰＩＤ制御演算手段と、主として外気冷房機の効果を増減させることにより室温制御を実行する外気冷房主体の制御モードのときに、前記外気ダンパの開度を操作する操作量指示値を算出する第２のＰＩＤ制御演算手段と、前記第１のＰＩＤ制御演算手段と第２のＰＩＤ制御演算手段に共通に設定されるＰＩＤパラメータである積分時間と微分時間を予め記憶する積分・微分時間共通記憶手段とを備えることを特徴とするものである。
【発明の効果】
【０００９】
本発明によれば、部屋毎の個別の外気ダンパと空調機とをユニット化することで、空気流路の構成を簡素化することができ、空調設備の設置工事を簡易化することができる。
【００１０】
また、本発明によれば、外気流入口を、熱交換器とファンに対して、空気の流れの上流側に配設し、外気ダンパを通過した外気を、熱交換器とファンを通過させて流出口に導くことにより、最大冷房能力や最大暖房能力の確保という観点から、有利な構成を実現することができる。
【００１１】
また、本発明では、外気流入口を、熱交換器とファンに対して、空気の流れの下流側に配設し、外気ダンパを通過した外気を、熱交換器とファンを通過させることなく流出口に直接導くことにより、外気冷房機のファンによって得られる空気搬送動力の損失を低減することができ、完全外気冷房による省エネルギー効果の確保という観点から、有利な構成を実現することができる。
【００１２】
また、本発明では、流路切換手段を設けることにより、完全外気冷房のときは第２の外気用流路が使用されるように制御することができるので、最大冷房能力や最大暖房能力の確保という観点から、有利な構成を実現することができ、かつ完全外気冷房による省エネルギー効果の確保という観点からも、有利な構成を実現することができる。
【００１３】
また、本発明では、外気流入口を、熱交換器に対して空気の流れの下流側に配設し、かつファンに対して空気の流れの上流側に配設し、外気ダンパを通過した外気を、ファンを通過させて流出口に導くことにより、外気冷房機のファンによって得られる空気搬送動力の損失を低減することができ、完全外気冷房による省エネルギー効果の確保という観点から、有利な構成を実現することができる。
【００１４】
また、本発明では、第１のＰＩＤ制御演算手段と第２のＰＩＤ制御演算手段との間で積分時間を共通化し、さらに微分時間についても共通化することにより、ＰＩＤパラメータ調整の手間の低減という観点から、有利な構成を実現することができる。
【図面の簡単な説明】
【００１５】
【図１】本発明の第１の実施の形態に係る空調システムの構成を示す図である。
【図２】図１の空調システムで用いる空調機の構成を示す図である。
【図３】本発明の第２の実施の形態に係る空調システムの構成を示す図である。
【図４】図３の空調システムで用いる空調機の構成を示す図である。
【図５】本発明の第３の実施の形態に係る空調機の構成を示す図である。
【図６】本発明の第４の実施の形態に係る空調機の構成を示す図である。
【図７】本発明の第５の実施の形態に係る空調機の制御部の構成を示すブロック図である。
【図８】個別空調機のみによる従来の空調システムの構成を示す図である。
【図９】個別空調機と外気冷房機を併用する空調システムの構成を示す図である。
【発明を実施するための形態】
【００１６】
［発明の原理１］
セントラル空調のコンセプトは建物の空調の集中管理であるが、建物の中のあらゆる部屋が同一の条件にあるわけではないので、各部屋の条件に適合する空調状態を得るために、部屋毎に外気冷房用の個別ダンパが設置される。すなわち、セントラル空調であっても個別空調の概念と設備がある。そこで、その部屋毎の個別ダンパと個別空調機とをユニット化することで、個別ダンパと個別空調機とを単純に併設する場合よりも、工事を簡易化できることに着眼した。空調機が外気ダクトからの空気流入部（外気流入口）付近に外気ダンパを備え、従来の個別空調機の空気流出部（流出口）から外気を供給できるように構成すれば、空気流路の構成を簡素化できるので、工事が簡易になる。
【００１７】
［発明の原理２］
外気冷房を実施するためには、専用の外気冷房機が設置される。外気冷房機は外気を建物に取り入れるためのファンを備えており、これにより外気を供給するための空気搬送動力を得ている。また、従来の個別空調機も空気搬送動力を得るためのファンを備えている。前記したように、外気冷房の利点は、空調機などによって空気を冷却するためのエネルギーを節約できることにある。したがって、外気冷房のみ（完全外気冷房）の状態では、従来の個別空調機のファンは停止して、外気冷房機のファンによって得られる空気搬送動力を活用すればよいことに着眼した。この場合、前記した空調ユニットの構成において、外気流入口から取り入れられる外気は、従来の個別空調機が本来備えるファン（完全外気冷房時に停止するファン）を通過しないように構成することで、外気冷房機のファンによって得られる空気搬送動力の損失を低減できることに想到した。
【００１８】
［発明の原理３］
ユニット化することにより、個別空調と外気冷房が、室温センサと空気流出部分（流出口）を共有することになる。その場合、室温の測定点と室温調整機器（外気冷房では外気ダンパ、個別空調では熱交換器）との位置関係が、外気冷房の制御モードでも個別空調主体の制御モードでもほぼ同じになることに着眼した。このように室温の測定点と室温調整機器との位置関係が外気冷房の制御モードと個別空調主体の制御モードでほぼ同じになることにより、ＰＩＤ制御を実施するときの積分動作・微分動作のパラメータ値が、両制御モードでほぼ同じ値に設定できることになる。よって、積分動作・微分動作のパラメータ値を外気冷房の制御モードと個別空調主体の制御モードで共通化することで、ＰＩＤパラメータ調整の手間が低減できることに想到した。
【００１９】
［第１の実施の形態］
以下、本発明の実施の形態について図面を参照して説明する。図１は本発明の第１の実施の形態に係る空調システムの構成を示す図、図２は図１の空調システムで用いる空調機の構成を示す図である。本実施の形態は、上記発明の原理１に対応するものである。
本実施の形態の空調システムでは、部屋１毎に個別の空調機２が設置され、さらに各部屋で共用する外気冷房機３が設置される。図１において、４は部屋１から空調機２に空気（還気）を戻す還気ダクト、５は外気の取り入れ口、６は外気冷房機３から送り出される外気を空調機２へ供給する外気ダクト、７は空調機２によって冷却または加熱された空気（給気）を部屋１へ供給する給気ダクト、８は給気の吹出口、９は室温センサ、３００は外気冷房機３のファンである。
【００２０】
図２に示すように、空調機２は、還気ダクト４と接続される空気流入口２００と、外気ダクト６と接続される外気流入口２０１と、外気流入口２０１に設けられる外気ダンパ２０２と、部屋１からの空気および外気を冷却または加熱する熱交換器２０３と、空気流入口２００から流入した空気を熱交換器２０３に導く流路２０４と、外気ダンパ２０２を通過した外気を熱交換器２０３に導く流路２０５と、熱交換器２０３によって冷却または加熱された給気を送り出すためのファン２０６と、熱交換器２０３によって冷却または加熱された給気をファン２０６に導く流路２０７と、給気ダクト７と接続される流出口２０８と、ファン２０６からの給気を流出口２０８に導く流路２０９と、熱交換器２０３の加熱・冷却能力を制御する第１のＰＩＤ制御演算部２１０と、外気ダンパ２０２の開度を制御する第２のＰＩＤ制御演算部２１１とを有する。
【００２１】
以上のような構成により、本実施の形態では、空気流路の構成を簡素化できるので、空調設備の設置工事を簡易化することができる。つまり、本実施の形態によれば、図９における外気ダンパ１０８−１，１０８−２から部屋の天井部分の外気用の吹出口１０９−１，１０９−２までの設置工事を、削減することができる。
【００２２】
また、本実施の形態の空調機２の構造では、外気流入口２０１と外気ダンパ２０２とは、個別空調の熱交換器２０３やファン２０６に対して、空気の流れの上流側に配設される。したがって、外気流入口２０１から取り入れた外気を、熱交換器２０３により加熱または冷却することができる。この場合、例えば室内の二酸化炭素濃度を基準値以下に抑制するために、換気の目的で外気を多く取り入れているときに、外気温度が高いことにより冷房能力として不利な条件であっても、全ての外気を冷却してから室内に供給することが可能になる。あるいは、換気の目的で外気を多く取り入れているときに、外気温度が低いことにより暖房能力として不利な条件であっても、全ての外気を加熱してから室内に供給することが可能になる。すなわち、本実施の形態の構成は、最大冷房能力や最大暖房能力の確保という観点から、有利な構成である。
【００２３】
以下、本実施の形態の効果を最大冷房能力の算定例で示す。熱交換器２０３の冷媒の温度が７℃であり、熱交換器２０３を通過する空気を最低１２℃まで冷却できる場合、本実施の形態の構成では最大冷房能力は１２℃の給気により確定する。一方、後述する第２の実施の形態や第４の実施の形態のように熱交換後の空気を外気と混合する場合、１２℃に冷却された空気と２０℃の外気の５０％ずつの混合であれば、最大冷房能力は１６℃の給気により確定する。すなわち、本実施の形態の構成によれば、給気温度において４℃分だけ最大冷房能力を有利に確保できることになる。
【００２４】
［第２の実施の形態］
次に、本発明の第２の実施の形態について説明する。図３は本発明の第２の実施の形態に係る空調システムの構成を示す図、図４は図３の空調システムで用いる空調機の構成を示す図であり、図１、図２と同様の構成には同一の符号を付してある。本実施の形態は、上記発明の原理２に対応するものである。
【００２５】
本実施の形態の空調システムでは、部屋１毎に個別の空調機２ａが設置される。図４に示すように、空調機２ａは、空気流入口２００と、外気流入口２０１と、外気ダンパ２０２と、熱交換器２０３と、空気流入口２００から流入した空気を熱交換器２０３に導く流路２０４と、ファン２０６と、熱交換器２０３によって冷却または加熱された給気をファン２０６に導く流路２０７と、流出口２０８と、ファン２０６からの給気を流出口２０８に導く流路２０９と、第１のＰＩＤ制御演算部２１０と、第２のＰＩＤ制御演算部２１１と、流路２０９と接続され、外気ダンパ２０２を通過した外気を流出口２０８に導く流路２１２とを有する。
【００２６】
空気が停止中のファンなどを通過すると、このファンなどの装置抵抗が少なからぬ圧力損失を招く。そこで、本実施の形態では、外気流入口２０１と外気ダンパ２０２とを、個別空調の熱交換器２０３やファン２０６に対して、空気の流れの下流側に配設した。したがって、完全外気冷房中に外気流入口２０１から取り入れた外気が、熱交換器２０３や完全外気冷房中で不要なために停止しているファン２０６を通過しないので、外気冷房機３のファン３００によって得られる空気搬送動力の損失を低減することができる。
【００２７】
本実施の形態では、例えば外気冷房のみ（完全外気冷房）によって室内を冷房するときは、空調機２ａの熱交換器２０３とファン２０６を完全に停止させて、外気は空調機２ａ内を単純に通過するだけで供給されることになり、通常のセントラル空調の外気冷房と同じ水準で省エネルギーを実現することが可能になる。すなわち、本実施の形態の構成は、完全外気冷房による省エネルギー効果の確保という観点から、有利な構成である。
【００２８】
以下、本実施の形態の省エネルギー効果を見積もる。外気が熱交換器２０３と停止中のファン２０６を通過することにより、必ず空気搬送動力の損失が発生するので、原理的にはその分が全て損失の低減分の効果として得られることになる。損失の発生は風量やファン形状などの条件次第で変化するものであり、確定的な数字として容易に定量化はできないが、以下に単純な算定例を示す。外気が熱交換器２０３を通過するときの圧力損失により約１０％の損失が見込まれ、さらに外気が停止中のファン２０６を通過するときの圧力損失により約１０％の損失が見込まれるものとする。両方の損失を合わせると、１．０−０．９×０．９＝０．１９の算定により約１９％の損失が見込まれる。したがって、この算定例によれば、本実施の形態では、部屋の天井部分の吹出口８に一定の風量を供給する場合、外気冷房機３のファン３００の出力を約１９％節約できることになる。
【００２９】
［第３の実施の形態］
次に、本発明の第３の実施の形態について説明する。図５は本発明の第３の実施の形態に係る空調機の構成を示す図であり、図１〜図４と同様の構成には同一の符号を付してある。本実施の形態は、上記発明の原理２に対応するものであり、図１に示した空調システムにおいて空調機２の代わりに空調機２ｂを用いるものである。
【００３０】
図５に示すように、空調機２ｂは、空気流入口２００と、外気流入口２０１と、外気ダンパ２０２と、熱交換器２０３と、空気流入口２００から流入した空気を熱交換器２０３に導く流路２０４と、外気ダンパ２０２を通過した外気を熱交換器２０３に導く流路２０５と、ファン２０６と、熱交換器２０３によって冷却または加熱された給気をファン２０６に導く流路２０７と、流出口２０８と、ファン２０６からの給気を流出口２０８に導く流路２０９と、第１のＰＩＤ制御演算部２１０と、第２のＰＩＤ制御演算部２１１と、流路２０９と接続され、外気ダンパ２０２を通過した外気を流出口２０８に導く流路２１３と、流路２０５と流路２１３のどちらかを選択的に使用するための流路切換部２１４とを有する。
【００３１】
本実施の形態の空調機２ｂの構造では、外気流入口２０１と外気ダンパ２０２とは、個別空調の熱交換器２０３やファン２０６に対して、空気の流れの上流側に配設される。また、外気ダンパ２０２を通過した後の外気の流路には、熱交換器２０３およびファン２０６への流路２０５と、熱交換器２０３およびファン２０６を通過しない流路２１３の２つがあり、流路切換部２１４によりどちらかの流路が選択的に使用できるように構成されている。そして、流路切換部２１４は、例えば上位の制御装置（不図示）からの指示により、個別空調主体の制御モードでは流路２０５が使用されるように流路を切り換え、完全外気冷房の制御モードでは流路２１３が使用されるように流路を切り換える。
【００３２】
上位の制御装置は、部屋の居住者によって設定された室温設定値、外気温度、室温、消費エネルギー等を考慮して、個別空調主体の制御モードあるいは完全外気冷房の制御モードのどちらかの制御モードを部屋毎に選択して、部屋毎の個別空調を行う。なお、制御装置がどの制御モードを選択するかは、発明の本質には関係なく、また適宜実現可能であるので、制御モードの選択に関する詳細な説明は省略する。
【００３３】
本実施の形態によれば、個別空調主体の制御モードでは、外気流入口２０１から取り入れた外気を、熱交換器２０３により加熱または冷却することができ、かつ完全外気冷房の制御モードでは、外気流入口２０１から取り入れた外気が、熱交換器２０３や停止しているファン２０６を通過しないようにすることができ、外気冷房機３のファン３００によって得られる空気搬送動力の損失を低減することができる。すなわち、本実施の形態の構成は、最大冷房能力や最大暖房能力の確保という観点から、有利な構成であり、完全外気冷房による省エネルギー効果の確保という観点からも、有利な構成である。ただし、第１の実施の形態および第２の実施の形態よりは構成要件が多くなる。
【００３４】
［第４の実施の形態］
次に、本発明の第４の実施の形態について説明する。図６は本発明の第４の実施の形態に係る空調機の構成を示す図であり、図１〜図５と同様の構成には同一の符号を付してある。本実施の形態は、上記発明の原理２に対応するものであり、図１に示した空調システムにおいて空調機２の代わりに空調機２ｃを用いるものである。
【００３５】
図６に示すように、空調機２ｃは、空気流入口２００と、外気流入口２０１と、外気ダンパ２０２と、熱交換器２０３と、空気流入口２００から流入した空気を熱交換器２０３に導く流路２０４と、ファン２０６と、熱交換器２０３によって冷却または加熱された給気をファン２０６に導く流路２０７と、流出口２０８と、ファン２０６からの給気を流出口２０８に導く流路２０９と、第１のＰＩＤ制御演算部２１０と、第２のＰＩＤ制御演算部２１１と、流路２０７と接続され、外気ダンパ２０２を通過した外気をファン２０６に導く流路２１５とを有する。
【００３６】
本実施の形態の空調機２ｃの構造では、外気流入口２０１と外気ダンパ２０２とは、個別空調の熱交換器２０３に対して空気の流れの下流側に配設され、ファン２０６に対して空気の流れの上流側に配設される。したがって、完全外気冷房中に外気流入口２０１から取り入れた外気が熱交換器２０３を通過しないので、外気冷房機３のファン３００によって得られる空気搬送動力の損失を低減することができる。
【００３７】
ただし、本実施の形態の構成では、外気冷房のみ（完全外気冷房）によって室内を冷房するときに、外気冷房機３のファン３００を利用せずに、個別の空調機２ｃのファン２０６によって得られる空気搬送動力を利用してもよい。例えば、冷房を必要とする部屋が１個である場合は、外気冷房機３のファン３００や冷房しない部屋の空調機２ｃのファン２０６を停止して、冷房を必要とする部屋の空調機２ｃのファン２０６を１個だけ利用することが可能になる。外気冷房機３は複数の部屋に外気を供給する必要があるため、外気冷房機３のファン３００を稼働させる際の消費エネルギーが大きい。これに対して、空調機２ｃは１つの部屋に空気を供給すればよいので、空調機２ｃのファン２０６を稼働させる際の消費エネルギーは外気冷房機３の消費エネルギーよりも少ない。つまり、本実施の形態の構成は、外気を取り入れるためのファンの稼働については、最小限の動力という選択が可能になるという観点から、有利な構成である。
【００３８】
以下、本実施の形態の省エネルギー効果を単純な算定例で示す。ここでは、部屋が５個ある場合に、各部屋の空調機２ｃが備えるファン２０６が１００Ｗのモータ駆動であり、外気冷房機３のファン３００が空調機２ｃの５倍に相当する５００Ｗのモータ駆動であるとする。このとき１部屋だけ外気冷房を行なうとする。空調機２ｃが備えるファン２０６を利用する場合、そのファン２０６により得られる空気搬送動力は全てその部屋への空気搬送に利用されることになる。すなわち、例えばモータが１００％の出力で動作しているなら、１００Ｗの電力の空気搬送動力によって外気が導入されることになる。
【００３９】
一方、外気冷房機３のファン３００を利用する場合、そのファンにより得られる空気搬送動力の全てを特定の１部屋に集中させることは困難である。ダクトの条件次第であるが、仮に外気冷房を行なおうとする１部屋に対し約７０％の高効率で外気を導入できたとしても、１００Ｗの電力分の空気搬送動力による外気導入を得るためには、１００／０．７＝１４３の算定により約１４０Ｗの出力が必要になる。つまり、５００Ｗの外気冷房機３のファン３００をインバータにより２８％の出力で制御している状態に相当する。以上の算定例では、個別の空調機２ｃのファン２０６を利用する場合と外気冷房機３のファン３００を利用する場合で、最小限の動力として４０Ｗの差が生じる。
【００４０】
［第５の実施の形態］
次に、本発明の第５の実施の形態について説明する。図７は本発明の第５の実施の形態に係る空調機の制御部の構成を示すブロック図である。本実施の形態は、上記発明の原理３に対応するものであり、第１〜第４の実施の形態のいずれにも適用することができる。
【００４１】
空調機の制御部は、第１のＰＩＤ制御演算部２１０と、第２のＰＩＤ制御演算部２１１と、第１のＰＩＤ制御演算部２１０に設定されるＰＩＤパラメータである比例帯を予め記憶する第１の比例帯記憶部２２０と、第２のＰＩＤ制御演算部２１１に設定されるＰＩＤパラメータである比例帯を予め記憶する第２の比例帯記憶部２２１と、第１のＰＩＤ制御演算部２１０と第２のＰＩＤ制御演算部２１１に共通に設定されるＰＩＤパラメータである積分時間と微分時間を予め記憶する積分・微分時間共通記憶部２２２と、室温センサ９によって計測された室温計測値を入力とする室温計測値入力部２２３と、第１のＰＩＤ制御演算部２１０からの操作量指示値を熱交換器２０３に出力する第１の信号出力部２２４と、第２のＰＩＤ制御演算部２１１からの操作量指示値を外気ダンパ２０２に出力する第２の信号出力部２２５とから構成される。
【００４２】
第１の比例帯記憶部２２０に記憶されている比例帯と積分・微分時間共通記憶部２２２に記憶されている積分時間と微分時間とが、第１のＰＩＤ制御演算部２１０に設定され、第２の比例帯記憶部２２１に記憶されている比例帯と積分・微分時間共通記憶部２２２に記憶されている積分時間と微分時間とが、第２のＰＩＤ制御演算部２１１に設定される。
【００４３】
個別空調主体の制御モードにおいて、第１のＰＩＤ制御演算部２１０は、室温計測値入力部２２３から入力された室温計測値と部屋の居住者によって設定された室温設定値とが一致するようにＰＩＤ制御演算を行って操作量指示値を算出し、操作量指示値を第１の信号出力部２２４を介して熱交換器２０３に出力する。こうして、例えば熱交換器２０３に供給される熱源水の量が操作量指示値に応じて制御されることにより、熱交換器２０３の加熱・冷却能力が制御され、室温制御が実行される。すなわち、この場合は熱交換器２０３が制御アクチュエータになる。
【００４４】
一方、外気冷房主体の制御モードにおいて、第２のＰＩＤ制御演算部２１１は、室温計測値と室温設定値とが一致するようにＰＩＤ制御演算を行って操作量指示値を算出し、操作量指示値を第２の信号出力部２２５を介して外気ダンパ２０２に出力する。こうして、外気ダンパ２０２の開度が操作量指示値に応じて制御されることにより、外気の供給量が制御され、室温制御が実行される。すなわち、この場合は外気ダンパ２０２が制御アクチュエータになる。
【００４５】
図１、図３からも理解できるように、第１〜第４の実施の形態では、同一の空調機に熱交換器２０３と外気ダンパ２０２とが備えられているので、熱交換器２０３から室温センサ９までの距離と、外気ダンパ２０２から室温センサ９までの距離は、ほぼ同じになる。室温センサ９は、通常は室内壁面の中央ぐらいの位置に設置される。また、熱交換器２０３を通る空気と外気ダンパ２０２を通る空気の経路もほぼ同じである。したがって、制御アクチュエータが操作されて室温の変化に反映されるまでの時間τは、個別空調主体の制御モードでも外気冷房主体の制御モードでもほぼ同じになる。
【００４６】
ＰＩＤパラメータの調整においては、積分時間と微分時間とは上記の時間τに基づいて決定されることが好ましい。本実施の形態では、上記のとおり２つの制御モードで時間τがほぼ同じになるので、第１のＰＩＤ制御演算部２１０と第２のＰＩＤ制御演算部２１１との間で積分時間を共通化し、さらに微分時間についても共通化することが可能になる。本実施の形態の構成は、ＰＩＤパラメータ調整の手間の低減という観点から、有利な構成である。
【００４７】
図９に示した構成では、積分時間と微分時間とを決定するために、外気冷房主体の制御モードでのプロセスむだ時間の測定と個別空調主体の制御モードでのプロセスむだ時間の測定の２回の測定が必要になる。これに対して、図１、図３に示した本実施の形態の構成では、積分時間と微分時間とを決定するためのプロセスむだ時間の測定はどちらかの制御モードで１回行えばよいので、プロセスむだ時間の測定の手間を１回分低減できる。
【００４８】
なお、比例帯は制御アクチュエータの操作に応じてどの程度の変化の影響を与えられるかという指標が主要素になるので、第１のＰＩＤ制御演算部２１０と第２のＰＩＤ制御演算部２１１との間で共通化するのは妥当ではないし困難である。比例帯の決定方法については、例えば特許文献２に開示されている。
【産業上の利用可能性】
【００４９】
本発明は、個別空調と外気冷房とが併用される空調システムの空調機に適用することができる。
【符号の説明】
【００５０】
１…部屋、２，２ａ，２ｂ，２ｃ…空調機、３…外気冷房機、４…還気ダクト、５…外気の取り入れ口、６…外気ダクト、７…給気ダクト、８…給気の吹出口、９…室温センサ、２００…空気流入口、２０１…外気流入口、２０２…外気ダンパ、２０３…熱交換器、２０４，２０５，２０７，２０９，２１２，２１３，２１５…流路、２０６…ファン、２０８…流出口、２１０…第１のＰＩＤ制御演算部、２１１…第２のＰＩＤ制御演算部、２１４…流路切換部、２２０…第１の比例帯記憶部、２２１…第２の比例帯記憶部、２２２…積分・微分時間共通記憶部、２２３…室温計測値入力部、２２４…第１の信号出力部、２２５…第２の信号出力部。
【図１】
2011012892.tif 000003
【図２】
2011012892.tif 000004
【図３】
2011012892.tif 000005
【図４】
2011012892.tif 000006
【図５】
2011012892.tif 000007
【図６】
2011012892.tif 000008
【図７】
2011012892.tif 000009
【図８】
2011012892.tif 000010
【図９】
2011012892.tif 000011